(57)【要約】【課題】  フックに吊り下げて使用する場合のみならず、傾斜面に複室容器を設置する場合にも、弱シール部の剥離の確認を促すように構成された複室容器を提供する。【解決手段】  弱シール部４で区画された複数の薬剤充填室５，６を備える容器本体２と、該容器本体２の開口部に取り付けられた口栓１０とを備えた複室容器１において、前記弱シール部４付近の前記容器本体２の外表面に沿って当接する基部２１と、前記容器本体の膨張で破断する脆弱部２２とを有し、前記弱シール部４が剥離していないことを表示する警告帯２０を備える。【選択図】図１
2006034794.tif 000002
【特許請求の範囲】
【請求項１】
弱シール部で区画された複数の薬剤充填室を有する容器本体と、該容器本体の開口部に取り付けられた口栓とを備えた複室容器において、
前記弱シール部付近の前記容器本体の外表面に沿って当接する基部と、前記容器本体の膨張で破断する脆弱部とを有し、前記弱シール部が剥離していないことを表示する警告帯を備えることを特徴とする、複室容器。
【請求項２】
前記基部は、略Ｕ字状に形成された厚紙で構成され、
前記脆弱部は、薄紙で構成され、前記基部の両端を相互に連結していることを特徴とする、請求項１記載の複室容器。
【請求項３】
前記基部は、一対のプレート状に形成された厚紙で構成され、
前記脆弱部は、薄紙で構成され、前記基部の左右両端を相互に連結していることを特徴とする、請求項１記載の複室容器。
【発明の詳細な説明】
【技術分野】
【０００１】
本発明は、弱シール部が剥離していないことを表示する警告帯を備えた複室容器に関する。
【背景技術】
【０００２】
従来、２種類以上の薬剤を配合する場合、薬剤的相互作用に起因する経時的変化によって薬剤が変質する危険性があるため、弱シール部で区画された複数の薬剤充填室を備える複室容器を用いて、各未混合薬剤が個別に充填されていることがある。このような複室容器を用いた場合には、通常、弱シール部を剥離しないでも未混合薬剤を患者に投与することができるので、かかる未混合薬剤の誤投与による医療事故がないように使用者に注意を喚起するため、複室容器には、フック用の吊下穴を塞ぐように開封確認用シールを貼着し、弱シール部の剥離の確認を促すように構成されたものがある（例えば、特許文献１参照。）。
【特許文献１】実用新案登録第３０７４８８５号
【０００３】
しかしながら、このような複室容器では、フックに吊り下げて使用する場合には、使用者に注意を喚起させることができるが、フックを用いずに傾斜面に設置して患者に薬剤を投与しようとする場合には、フック用の吊下穴に使用者の注意が向かない傾向があり、使用者に十分に注意を喚起することができないという問題点がある。
【発明の開示】
【発明が解決しようとする課題】
【０００４】
したがって、本発明は、かかる問題点を解消するため、フックに吊り下げて使用する場合のみならず、傾斜面に複室容器を設置する場合にも、弱シール部の剥離の確認を促すように構成された複室容器を提供し、未混合薬剤の誤投与による医療事故の発生を防止することを目的とする。
【課題を解決するための手段】
【０００５】
弱シール部で区画された複数の薬剤充填室を有する容器本体と、該容器本体の開口部に取り付けられた口栓とを備えた複室容器において、前記弱シール部付近の前記容器本体の外表面に沿って当接する基部と、前記容器本体の膨張で破断する脆弱部とを有し、前記弱シール部が剥離していないことを表示する警告帯を備えたものである。
【０００６】
前記基部は、略Ｕ字状に形成された厚紙で構成され、前記脆弱部は、薄紙で構成され、前記基部の両端を相互に連結していてもよい。
【０００７】
前記基部は、一対のプレート状に形成された厚紙で構成され、前記脆弱部は、薄紙で構成され、前記基部の左右両端を相互に連結していてもよい。
【発明の効果】
【０００８】
前記手段によれば、複室容器の設置方法に限定されることなく、いかなる場合においても、未混合薬剤の誤投与による医療事故がないように使用者に十分な注意を喚起することができる。
【発明を実施するための最良の形態】
【０００９】
以下、添付の図面に従って、本発明の実施形態を説明する。
【００１０】
図１は、本発明の実施形態に係る複室容器１を示す。この複室容器１は、図１に示したように、容器本体２と、該容器本体２の開口部に取り付けられた薬剤排出用の口栓１０とを備える。
【００１１】
容器本体２は、２枚の透明なフィルムシートからなり、周辺強シール部３を備える。周辺強シール部３は、前記２枚の透明なフィルムシートを対向させた内表面の間に、口栓１０の薬剤排出管１２を挟持させた状態で、周辺部が加熱溶着されて形成されている。周辺強シール部３は、後述の第１と第２の薬剤充填室５，６の外表面を押圧しても剥離することができない強度で構成されている。
【００１２】
容器本体２は、弱シール部４と、第１と第２の薬剤充填室５，６とを備える。弱シール部４は、一方の内表面とこれに対向する他方の内表面とを、例えば、混合樹脂片で接合し、又は前記内表面の間に混合樹脂片を挟持した状態で加熱溶着することによって、容器本体２の中央付近の短手方向に形成されている。弱シール部４は、容器本体２の内部を第１と第２の薬剤充填室５，６に区画している。弱シール部４は、第１と第２の薬剤充填室５，６のいずれか一方の外表面を押圧すると剥離することが可能な強度で構成されている。
【００１３】
口栓１０は、筒状で、ゴム栓で密封された薬剤排出口１１と、薬剤排出管１２とで構成されている。
【００１４】
複室容器１は、弱シール部４付近の容器本体２に取り付けられた警告帯２０を備える。警告帯２０は、図２に示したように、基部２１、該基部２１を連結する脆弱部２２とで構成されている。
【００１５】
基部２１は、細長い帯状の厚紙で構成され、略Ｕ字状に折り曲げて形成されている。基部２１の前面部と後面部の側面は、略ハの字状に形成されている。基部２１の両端は、後述の脆弱部２２を介して相互に連結されている。基部２１は、第１の薬剤充填室５の弱シール部４側の端部に沿って当接している。基部２１の表面には、弱シール部４が剥離していないことを表示する「未開通」の文字や、弱シール部４の剥離後に警告帯が自然落下する旨を赤地に白色で記載した注意書が付されている。
【００１６】
脆弱部２２は、台形状の薄紙で構成されている。脆弱部２２は、糊、テープ等の接着手段を用いて、基部２１の両端を相互に連結している。
【００１７】
次に、前記構成からなる複室容器１を使用する場合の作用について説明する。
【００１８】
警告帯２０が取り付けられた状態で、本発明の複室容器１がフックに吊り下げられたり、傾斜面に設置されたりしている場合には、警告帯２０と、そこに付された「未開通」の文字によって、使用者は、口栓１０のゴム栓に中空針を刺通すべできないことや、弱シール部４の剥離作業を行うべきことを容易に認識することができる。これにより、使用者は、フックに吊り下げたり、傾斜面に設置したりして、口栓１０のゴム栓に中空針を刺通し、未混合薬剤を患者に投与することはない。
【００１９】
図３（ａ）に示したように、使用者が第１と第２の薬剤充填室５，６のいずれか一方の外表面を手等で押圧して弱シール部４を剥離した場合には、脆弱部２２が、図３（ｂ）に示したように、弱シール部４の剥離に伴う前記容器本体２の膨張で破断する。その後、使用者が複室容器１を持ち上げた場合、基部２１は外側に展開して警告帯２０が自然に落下するため、弱シール部４の剥離が完了したことを複室容器１の外観から認識することができ、フックに吊り下げたり、傾斜面に設置したりして使用することができる。
【００２０】
なお、図１に示した警告帯２０のように、基部２１の前面部と後面部の側面が略ハの字状に形成される必要はなく、図４（ａ），（ｂ）に示したように、平行に形成されていてもよい。また、図１に示した警告帯２０のように、基部の表面に、「未開通」の文字や、注意書を付す必要はなく、図４（ｂ）に示したように、かかる文字や注意書を付した警告シート２３を基部２１の一方に貼着して、警告帯２０を構成してもよい。さらに、基部２１を略Ｕ字状に形成する必要はなく、図４（ｃ）に示したように、プレート状に形成された厚紙で、一対の基部２１ａ，２１ｂを構成し、左右両端を、２枚の薄紙で構成した脆弱部２２ａ，２２ｂで相互に連結してもよい。
【図面の簡単な説明】
【００２１】
【図１】本発明の実施形態に係る複室容器の正面図である。
【図２】図１の複室容器に取り付けられた警告帯の斜視図である。
【図３】（ａ）は、図１の複室容器の弱シール部付近を拡大した側面図であり、（ｂ）は、図１の複室容器の弱シール部が剥離したことに伴い脆弱部が破断した状態を示す拡大側面図である。
【図４】図２の警告帯の他の実施例を示す斜視図である。
【符号の説明】
【００２２】
１  複室容器
２  容器本体
３  周辺強シール部
４  弱シール部
５  第１の薬剤充填室
６  第２の薬剤充填室
１０  口栓
１１  薬剤排出口
１２  薬剤排出管
２０  警告帯
２１，２１ａ，２１ｂ  基部
２２，２２ａ，２２ｂ  脆弱部
２３  警告シート
【図１】
2006034794.tif 000003
【図２】
2006034794.tif 000004
【図３】
2006034794.tif 000005
【図４】
2006034794.tif 000006